(57)【要約】【課題】  放電セルの内部に入射する光を一部遮蔽するための補助バス電極を適用して明室コントラストを改善する。【解決手段】  第１基板，第１基板に対向して配置された第２基板，第１基板に第１方向に形成されたアドレス電極，第１基板と第２基板の間に配置されて複数の放電セルを区画する隔壁，放電セル内に形成された蛍光体層，放電セルに対応して第２基板に形成されて第１および第２電極からなる表示電極を含み，第１電極と第２電極は第１方向と交差する第２方向に沿って放電セルの一側付近に対応するように配列される第１および第２主バス電極と，第１主バス電極の間と第２主バス電極の間に配列されながら第１主バス電極と第２主バス電極を電気的に連結する第１および第２補助バス電極を含むプラズマディスプレイパネルに関する。【選択図】  図１
2006012833.tif 000002
【特許請求の範囲】
【請求項１】
第１基板と，
前記第１基板に対向して配置された第２基板と，
前記第１基板に第１方向に形成されたアドレス電極と，
前記第１基板と第２基板の間に配置されて複数の放電セルを区画する隔壁と，
前記放電セル内に形成された蛍光体層および前記放電セルに対応して前記第２基板に形成されて第１および第２電極からなる表示電極と，
を含み，
前記第１電極と第２電極において；
前記第１方向と交差する第２方向に沿って，前記放電セルの一側付近に対応するように配列される第１および第２主バス電極と，
前記第１方向に沿って前記放電セルの他の側付近に対応して，隣接した放電セルに各々位置する前記第１主バス電極の間と，
前記第２主バス電極の間に配列され，前記第１主バス電極と前記第２主バス電極と各々電気的に連結する第１および第２補助バス電極と，
を含むプラズマディスプレイパネル。
【請求項２】
前記第１電極と第２電極は，
前記第１および第２主バス電極と，
一部が重なりながら前記放電セルの中心部に向かって伸び，対向して配列される第１および第２透明電極と，
を含むことを特徴とする，請求項１に記載のプラズマディスプレイパネル。
【請求項３】
前記第１および第２主バス電極と前記第１および第２補助バス電極は，金属材質で各々構成され，前記放電セル内部に入射する光の反射を抑制することを特徴とする，請求項１に記載のプラズマディスプレイパネル。
【請求項４】
前記第１および第２主バス電極と前記第１および第２補助バス電極は，各々帯状パターンで配列されることを特徴とする，請求項１に記載のプラズマディスプレイパネル。
【請求項５】
前記第１電極と第２電極は前記第１方向に沿って隣接する放電セルに対応し，同一電極間で隣接して配列されることを特徴とする，請求項１に記載のプラズマディスプレイパネル。
【請求項６】
前記第１および第２主バス電極が，前記放電セルの周縁付近に対応して配列されることを特徴とする，請求項１に記載のプラズマディスプレイパネル。
【請求項７】
前記第１および第２補助バス電極が，前記放電セルの中心部付近に対応して配列されることを特徴とする，請求項１に記載のプラズマディスプレイパネル。
【請求項８】
前記第１及び第２補助バス電極の両端部が前記第１主バス電極と前記第２主バス電極
に各々直接連結されることを特徴とする、請求項１〜６のいずれかに記載のプラズマディスプレイパネル。
【請求項９】
前記第１および第２補助バス電極の両端部が，前記第１主バス電極と前記第２主バス電極を横切って，前記放電セルの中心部付近に向かい一部突出されることを特徴とする，請求項１〜６のいずれかに記載のプラズマディスプレイパネル。
【請求項１０】
前記第１および第２補助バス電極の両端部が，前記第１主バス電極と前記第２主バス電極を横切って，前記放電セルの中心部付近に向かい一部突出されて，この両端部に第２方向に沿って延長された突出部がさらに備わることを特徴とする，請求項１〜６のいずれかに記載のプラズマディスプレイパネル。
【発明の詳細な説明】
【技術分野】
【０００１】
本発明はプラズマディスプレイパネルにかかり，特に明室コントラストを改善すること
ができるプラズマディスプレイパネルに関する。
【背景技術】
【０００２】
一般に，プラズマディスプレイパネル（ＰＤＰ）は，ガス放電によって生成された紫外線で蛍光体を励起させて映像を実現すること，薄形化すること，高解像度の大画面を構成することが可能であって次世代表示装置で脚光を浴びている。
【０００３】
ＰＤＰは駆動方式によって直流型と交流型に区分されるが，近来はアドレス電極と一対の維持電極を備えた３電極面放電構造の交流型ＰＤＰが主に使用されている。
【０００４】
このようなＰＤＰを単位画素の配列パターンによって区分すれば，独立的なガス放電が行なわれる単位画素，つまり，赤（Ｒ），緑（Ｇ），青（Ｂ）３個の副画素放電セルが帯状パターンに配列される帯状型（またはインライン型）と三角パターンに配列されるデルタ形に区分することができる。
【０００５】
そして，帯状型とデルタ型ＰＤＰは全て隔壁によって，区画されるそれぞれの放電セルに対応する下部基板にはアドレス電極と隔壁および蛍光体層が形成され，上部基板には走査電極と維持電極からなる表示電極が形成される。アドレス電極と表示電極を覆うように下部基板と上部基板に誘電層が各々形成され，アドレス電極と表示電極が交差する放電セル内部にはＮｅ-Ｘｅ混合ガスが放電ガスとして充填される構成である。
【０００６】
そのために，選択された放電セルに対応して，アドレス電極と走査電極の間にアドレス電圧を印加してアドレス放電を通じて発光が起こる放電セルを選択して，走査電極と維持電極の間に維持電圧を印加すれば，放電セル内にプラズマ放電が起こって真空紫外線が放出されて，この真空紫外線が当該放電セルの蛍光体層を励起させ可視光を出すことで映像を実現する。
【０００７】
このように動作するＰＤＰは，走査電極と維持電極は放電セル内に生成した可視光を透過できるように各々ＩＴＯ（インジウム錫酸化物）のような透明電極からなるが，透明電極は導電性が良くなく電圧降下を起こすので，放電セルを避けて，不透明だが導電性の良い金属材質のバス電極を付加して透明電極の導電性を補完している。
【発明の開示】
【発明が解決しようとする課題】
【０００８】
ところで，前述のように上部基板の走査電極と維持電極が透明電極からなってバス電極が放電セルを避けて形成されれば開口率確保側面からは優れているが，明室条件でＰＤＰが動作する時，外光の吸収効率が低くて画面の明室コントラストが低くなる短所がある。
【０００９】
本発明は，従来のプラズマディスプレイパネルが有する上記問題点に鑑みてなされたものであり，本発明の目的は，放電セルの内部に入射する光を一部遮蔽するための補助バス電極を適用して明室コントラストを改善することの可能な，新規かつ改良されたプラズマディスプレイパネルを提供することである。
【課題を解決するための手段】
【００１０】
上記課題を解決するため，本発明の第１の観点によれば，第１基板と，前記第１基板に対向して配置された第２基板と，前記第１基板に第１方向に形成されたアドレス電極と，前記第１基板と第２基板の間に配置されて複数の放電セルを区画する隔壁と，前記放電セル内に形成された蛍光体層，および前記放電セルに対応して前記第２基板に形成されて第１および第２電極からなる表示電極を含み，前記第１電極と第２電極は前記第１方向と交差する第２方向に沿って前記放電セルの一側付近に対応するように配列される第１および第２主バス電極と，前記第１方向に沿って前記放電セルの他の側付近に対応して隣接した放電セルに各々位置する前記第１主バス電極の間と前記第２主バス電極の間に配列されながら前記第１主バス電極と前記第２主バス電極を各々電気的に連結する第１および第２補助バス電極を含むプラズマディスプレイパネルが提供される。
【００１１】
ここで，前記第１電極と第２電極は前記第１および第２主バス電極と一部が重なりながら前記放電セルの中心部に向かって延長され対向して配列される第１および第２透明電極を含むことができる。
【００１２】
また，前記第１および第２主バス電極と前記第１および第２補助バス電極は不透明金属材質で各々構成されて前記放電セル内部に入射する光の反射を抑制することができる。
【００１３】
そして，第１および第２主バス電極と第１および第２補助バス電極は各々帯状パターンで配列されて，第１電極と第２電極は第１方向に沿って隣接する放電セルに対応して同一電極間で隣接して配列される。
【００１４】
また，第１および第２主バス電極は放電セルの周縁付近に対応して配列されて，第１および第２補助バス電極が放電セルの中心部付近に対応して配列される。
【００１５】
この時，第１および第２補助バス電極の両端部が第１主バス電極と第２主バス電極に各々直接連結されることもでき，第１および第２補助バス電極の両端部が第１主バス電極と第２主バス電極を横切って放電セルの中心部付近に向かい一部突出されることができて，第１および第２補助バス電極の両端部が第１主バス電極と第２主バス電極を横切って放電セルの中心部付近に向かい一部突出して，この両端部に第２方向に沿って，さらに延長した突出部を形成することもできる。
【発明の効果】
【００１６】
以上のように，本発明によれば，主バス電極と補助バス電極を放電セルに対応して形成して外光を吸収することによって，放電セル内部に入射する光の反射を抑制できるので明室コントラストを改善できる。また，補助バス電極が主バス電極に直接連結されて形成されるので輝度特性確保のために補助バス電極の幅を薄くしても，主バス電極と補助バス電極形成のための金属材質疑エッチング時補助バス電極部分での断線発生を防止することができて，品質を改善できる。
【発明を実施するための最良の形態】
【００１７】
以下に添付図面を参照しながら，本発明にかかるプラズマディスプレイパネルの好適な実施形態について詳細に説明する。なお，本明細書および図面において，実質的に同一の機能構成を有する構成要素については，同一の符号を付することにより重複説明を省略する。
【００１８】
（第１実施形態）
図１は本発明の第1実施形態によるプラズマディスプレイパネルの一部を概略的に示した斜視図であり，図２は図１の第２基板に配列される電極を示した平面図である。図１と図２に示すように，本実施形態のＰＤＰは第１基板１０と第２基板２０が一定の間隔をおいて互いに対向して配置され，第１基板１０と第２基板２０の間には前記間隔ほどの高さを有する隔壁１３によって区画される放電セル１４Ｒ，１４Ｇ，１４Ｂが配列される。ここで，隔壁１３は第１方向（図面のＹ方向）の第１隔壁部材１３ａと第１方向と直交する第２方向（図面のＸ方向）の第２隔壁部材１３ｂで構成されて格子形に配列され，それぞれの放電セル１４Ｒ，１４Ｇ，１４Ｂを独立的に区画して，放電セル１４Ｒ，１４Ｇ，１４Ｂの内部空間にはＰＤＰ作用に必要な放電ガスが充填され，放電セル１４Ｒ，１４Ｇ，１４Ｂには隔壁の内側面から底面にかけてＲ，Ｇ，Ｂ，蛍光体層１５Ｒ，１５Ｇ，１５Ｂが形成される。
【００１９】
第１基板１０にはそれぞれの放電セル１４Ｒ，１４Ｇ，１４Ｂに対応して第１方向に沿ってアドレス電極１１が互いに離隔して帯状パターンを形成して，このアドレス電極１１を覆いながら第１基板１０の前面に誘電層１２が形成される。
【００２０】
第１基板１０に対向する第２基板２０の一面には第２方向に沿って走査電極である第１電極２１と維持電極である第２電極２２からなる表示電極２４が形成され，表示電極２４を覆いながら第２基板２０の前面で誘電層２５とＭｇＯ保護膜２６が形成される。
【００２１】
ここで，第１電極２１と第２電極２２は放電セル１４Ｒ，１４Ｇ，１４Ｂに対応して配列されて第１方向に沿って隣接する放電セル１４Ｒ，１４Ｇ，１４Ｂに対応して同一電極間で隣接して配列されるによって同一電極，つまり，第１電極２１と第２電極２２が各々対を構成しながら交互に配列される。
【００２２】
そして，第１電極２１と第２電極２２は放電セル１４Ｒ，１４Ｇ，１４Ｂの中心部を向かって伸び放電セルを間に置いて対向して配列される第１および第２透明電極２１ａ，２２ａと，第１方向と交差する第２方向に沿って帯状パターンで放電セル１４Ｒ，１４Ｇ，１４Ｂの周縁付近に対応して第１および第２透明電極２１ａ，２２ａをすぎながら配列される第１および第２主バス電極２１ｂ，２２ｂと，第１方向に沿って放電セル１４Ｒ，１４Ｇ，１４Ｂの中心部に対応して帯状パターンで隣接した放電セル１４Ｒ，１４Ｂ，１４Ｇに各々位置する第１主バス電極２１ｂの間と第２主バス電極２２ｂの間に配列されて両末端２３ａ，２３ｂが第１主バス電極２１ａと第２主バス電極２２ｂに各々直接連結される第１および第２補助バス電極２１ｃ，２２ｃからなる。
【００２３】
また，第１および第２透明電極２１ａ，２２ａはＩＴＯからなり，第１および第２主バス電極２１ｂ，２２ｂと第１および第２補助バス電極２１ｃ，２２ｃは，金属材質からなるのが好ましい。
【００２４】
つまり，第１および第２補助バス電極２１ｃ，２２ｃと第１および第２主バス電極２１ｂ，２２ｂが，放電セルに対応して配列されて外光を吸収するによって放電セル１４Ｒ，１４Ｇ，１４Ｂ内部に入射される光の反射を抑制することができるので明室コントラストを改善することができる。
【００２５】
また，第１および第２補助バス電極２１ｃ，２２ｃが第１主バス電極２１ｂおよび第２主バス電極２２ｂに各々直接連結されて形成されるので，輝度特性確保のために第１および第２補助バス電極２１ｃ，２２ｃの幅を薄くしても第１および第２主バス電極２１ａ，２２ａと第１および第２補助バス電極２１ｃ，２２ｃ形成のための金属材質のエッチングの際に，第１および第２補助バス電極２１ｃ，２２ｃ部分での断線発生を防止できる。
【００２６】
（第２実施形態）
図３は，第２実施形態によるプラズマディスプレイパネルの第２基板に配列される電極を示した平面図である。第１実施形態では第１および第２補助バス電極２１ｃ，２２ｃの両端部２３ａ，２３ｂが第１主バス電極２１ｂおよび第２主バス電極２２ｂに各々直接連結される場合に対してだけ説明したが，図３に示すように，第１および第２補助バス電極２１ｃ，２２ｃの両端部２３ａ，２３ｂが第１主バス電極２１ｂおよび第２主バス電極２２ｂを横切って放電セル１４Ｒ，１４Ｇ，１４Ｂの中心部付近に向かい一部突出するように配列することにより，外光の吸収効率をさらに向上させ，より効果的に明室コントラストを改善することができる。
【００２７】
（第３実施形態）
図４は，第３実施形態によるプラズマディスプレイパネルの第２基板に配列される電極を示した部分平面図である。図４のように，第１および第２補助バス電極２１ｂ，２２ｂの両端部２３ａ，２３ｂが第１主バス電極２１ｂおよび第２主バス電極２２ｂを横切って放電セル１４Ｒ，１４Ｇ，１４Ｂの中心部付近に向かって一部突出し，この両端部２３ａ，２３ｂに第２方向に沿って延長された突出部２３ｃ，２３ｄがさらに備わるように配列することにより，外光の吸収効率をさらに向上させ，より効果的に明室コントラストを改善することができる。
【００２８】
以上，添付図面を参照しながら本発明にかかるプラズマディスプレイパネルの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００２９】
以上説明したように，本発明によるプラズマディスプレイパネルは，主バス電極と補助バス電極を放電セルに対応して形成して外光を吸収することによって放電セル内部に入射する光の反射を抑制できるので明室コントラストを改善できる。
【００３０】
また，補助バス電極が主バス電極に直接連結されて形成されるので輝度特性確保のために補助バス電極の幅を薄くしても，主バス電極と補助バス電極形成のための金属材質疑エッチング時補助バス電極部分での断線発生を防止することができて，品質を改善できる。
【産業上の利用可能性】
【００３１】
本発明によるプラズマディスプレイパネルは，主バス電極と補助バス電極を放電セルに対応して形成して外光を吸収することによって放電セル内部に入射する光の反射を抑制できるので明室コントラストを改善でき，プラズマディスプレイパネルの製造分野で利用可能である。
【図面の簡単な説明】
【００３２】
【図１】第１実施形態によるプラズマディスプレイパネルの一部を概略的に斜視図である。
【図２】図１の第２基板に配列される電極を示した平面図である。
【図３】第２実施形態によるプラズマディスプレイパネルの第２基板に配列される電極を示した平面図である。
【図４】第３実施形態によるプラズマディスプレイパネルの第２基板に配列される電極を示した平面図である。
【符号の説明】
【００３３】
１０    第１基板
１１    アドレス電極
１２    誘電層
１３    隔壁
１３ａ  隔壁
１３ｂ  隔壁
１４Ｒ  放電セル（赤）
１４Ｂ  放電セル（青）
１４Ｇ  放電セル（緑）
１５Ｒ  蛍光体層（赤）
１５Ｂ  蛍光体層（青）
１５Ｇ  蛍光体層（緑）
２０    第２基板
２１ａ  第１電極
２１ｂ  第１電極
２１ｃ  第１電極
２１ｄ  第１電極
２２ａ  第２電極
２２ｂ  第２電極
２２ｃ  第２電極
２２ｄ  第２電極
２３ａ  両端部
２３ｂ  両端部
２３ｃ  突出部
２３ｄ  突出部
２４    表示電極
２５    誘電層
２６    ＭｇＯ保護膜
【図１】
2006012833.tif 000003
【図２】
2006012833.tif 000004
【図３】
2006012833.tif 000005
【図４】
2006012833.tif 000006